(57)【特許請求の範囲】
【請求項１】
非接触通信手段を有する電気機器において、
前記非接触通信手段は、前記電気機器を構成する各機能部位にそれぞれ対応して設けられ、情報を無線により送受信する送受信部を有し、該送受信部に端末を近接させることで該端末との間で情報を送受信し、
前記情報は、各前記機能部位に関する特有の機能部データを含み、
前記機能部位は、操作を行うための入力手段となる操作部であり、
前記機能部データは、前記操作部の操作方法に関するデータである電気機器。
【請求項２】
前記操作部は、操作の種類ごとに設けられた複数の操作ボタンからなり、前記非接触通信手段は、各操作の種類ごとの前記操作ボタンに対応して設けられた請求項１に記載の電気機器。
【請求項３】
前記非接触通信手段の近傍には、対応する前記操作ボタンの操作手順を示す表記が設けられ、前記表記の順番通り前記端末を前記非接触通信手段に近接させることで、前記操作部の操作手順に関する情報を得ることができる請求項２に記載の電気機器。
【請求項４】
前記非接触通信手段の近傍に点字を設けた請求項１〜３の何れか１項に記載の電気機器。
【請求項５】
前記操作ボタンの上面に点字を設けた請求項３に記載の電気機器。
【請求項６】
前記表記の上に点字を設けた請求項３に記載の電気機器。
【発明の詳細な説明】
【技術分野】
【０００１】
本発明は、外部の読取り端末やネットワークとの間で通信を行うことが可能な通信手段を有する電気機器に関する。
【背景技術】
【０００２】
従来から、調理情報を含む情報を通信する通信手段と、この通信を無線で行うためのアンテナを備え、アンテナを本体の前面部に設けた電気機器である電磁調理器がある（例えば、特許文献１参照）。
【先行技術文献】
【特許文献】
【０００３】
【特許文献１】特開２００４−１３９８３４号公報
【発明の概要】
【発明が解決しようとする課題】
【０００４】
しかしながら、従来技術で開示されている電磁調理器に設けられている通信手段及びアンテナは、家庭内等に設けられたホーム読取り端末との無線通信を行うためのものであり、使用者が、各操作部、鍋載置部やロースタ等の調理器の各機能部に対応した情報を直感的に得ることが難しいという課題がある。【０００５】
本発明は、上記のような課題を解決する為になされたもので、使用者が、電気機器を構成する各機能部に対応した情報を直感的に取得することが可能な電気機器を得ることを目的とする。
【課題を解決するための手段】
【０００６】
上記の課題を解決するためには、非接触通信手段を有する電気機器において、前記非接触通信手段は、前記電気機器を構成する各機能部位にそれぞれ対応して設けられ、情報を無線により送受信する送受信部を有し、該送受信部に端末を近接させることで該端末との間で情報を送受信し、前記情報は、各前記機能部位に関する特有の機能部データを含み、
前記機能部位は、操作を行うための入力手段となる操作部であり、前記機能部データは、前記操作部の操作方法に関するデータである電気機器を構成する。
【発明の効果】
【０００７】
本発明によれば、使用者が、各操作部、鍋載置部やロースタ等の機能部に対応した情報を直感的に取得することが可能な電気機器を得ることができる。
【図面の簡単な説明】
【０００８】
【図１】実施の形態１を示すＩＨクッキングヒーターの斜視図
【図２】実施の形態２を示すＩＨクッキングヒーターの平面図
【図３】実施の形態２を示すＩＨクッキングヒーターの上面操作部
【図４】図３の右加熱操作部３０Ｒと主電源ボタン３１を模式的に表した図（１）
【図５】図３の右加熱操作部３０Ｒと主電源ボタン３１を模式的に表した図（２）
【図６】図３の右加熱操作部３０Ｒと主電源ボタン３１を模式的に表した図（３）
【図７】実施の形態３を示す電気炊飯器の斜視図
【発明を実施するための形態】
【０００９】
（実施の形態１）
以下、図１を参照して、実施の形態１を説明する。実施の形態１は、本発明を誘導加熱調理器であるＩＨクッキングヒーターに用いた場合の形態である。
図１を参照すると、ＩＨクッキングヒーターＡの外殻は、本体ケース１０と、本体ケース１０の上方を覆い鍋やフライパンなどの調理容器を載置する天板２０から構成される。天板２０は、周囲をステンレス等の金属製のフレーム２１で構成し、フレーム２１の開口に耐熱のガラス板２２が嵌め込まれている。
【００１０】
また、天板２０の前方側には、調理モードの選択、各誘導加熱コイル４０（４０Ｌ，４０Ｍ，４０Ｒ）（図示せず）の電源のＯＮ・ＯＦＦ、タイマーの設定等を行う上面操作部３０が設けられている。この上面操作部３０は、フレーム２１の開口に位置しており、複数の操作ボタンにより構成されている。
【００１１】
次に、天板２０の下方には、調理容器を誘導加熱する３つの誘導加熱コイル４０や、ＩＨクッキングヒーターＡの状態を表示する表示部５０、外部の読取り端末Ｂとの間で情報の送受信を行う第１の非接触通信手段６１が配置されている。
そして、この３つの誘導加熱コイル４０と対向する天板２０の上面の位置には、それぞれ加熱部２３（左加熱部２３Ｌ、中央加熱部２３Ｍ、右加熱部２３Ｒ）を示すマークが表示されている。加熱部２３は、調理時に当該マークの位置に鍋などの調理容器を置く位置である。
【００１２】
更に、第１の非接触通信手段６１と対向する天板２０の上面の位置には、当該位置が、外部から読取り端末Ｂを近接させて第１の非接触通信手段６１と通信可能な位置であることを示す第１の通信位置マーク６１ａが表示されている。
尚、ガラス板２２の下面には、表示部５０と対向する部位を除き、塗装が施されており、上面側からＩＨクッキングヒーターＡの内部が見えないように構成されている。
【００１３】
次に、ＩＨクッキングヒーターＡの前面には、グリル扉７０と前面操作部８０が位置している。
グリル扉７０は、グリル調理を行うグリル庫の開口部を覆う部材であり、調理物を載せる焼網が載せられるグリル皿と一体となっている。つまり、グリル扉７０を手前に引き出せば、グリル庫内部から調理物を取り出し可能となっている。
このグリル扉７０には、グリル庫内部を目視にて確認する為のグリル窓７１と、グリル内部から調理物が乗せられているグリル皿を取り出す際に、手掛け部として用いるグリルハンドル７２が形成されている。
【００１４】
グリルハンドル７２は、下方に向けて開口することで、手掛け部７２ａが形成されている。また、この手掛け部７２ａの内部には、第２の非接触通信手段６２が設けられ、この第２の非接触通信手段６２と対向する手掛け部７２ａの前面には、読取り端末Ｂを近接させることで第２の非接触通信手段６２と通信可能となる位置であることを示す第２の通信位置マーク６２ａが表示されている。
【００１５】
次に、前面操作部８０は、誘導加熱コイル４０の出力を調整するものであり、それぞれの誘導加熱コイル４０に対応して設けられる操作ダイヤル８１が配置された部位である。  そして、この前面操作部８０の内部には、第３の非接触通信手段６３が設けられ、この第３の非接触通信手段６３と対向する前面パネル８２の前面には、読取り端末Ｂを近接させることで第３の非接触通信手段６３と通信可能となる位置であることを示す第３の通信位置マーク６３ａが表示されている。
【００１６】
以上のように構成されたＩＨクッキングヒーターＡの内部には、誘導加熱コイル４０に高周波電力を供給するインバーター回路やインバーター回路を制御する制御手段、および時間を計算する計時手段を搭載する回路基板（図示せず）が基板ケース（図示せず）内に収容された状態で取付けられている。
制御手段は、マイコンやＤＳＰやマイクロプロセッサーなどで構成されており、記憶手段を内蔵している。
【００１７】
ここで、非接触通信手段６１，６２，６３とは、例えば、情報を記憶するＩＣチップ（半導体集積回路）と送受信部となるアンテナ又はコイルを有し、内蔵するアンテナやコイルを介して電波や電磁誘導、磁気結合により非接触で外部の読取り端末Ｂと情報を交換する、いわゆるＩＣタグと呼ばれるものである。尚、本実施の形態では、電池を持たないＩＣタグであるパッシブタグを用いた例で説明する。
【００１８】
また、非接触通信手段６１，６２，６３に近接して用いる読取り端末Ｂは、除法情報読取りモードの際には、上記の非接触通信手段６１，６２，６３に対して電波を発信して、通信可能に構成されており、ＩＨクッキングヒーターに対応した専用端末や、携帯電話や多機能情報端末（いわゆる、スマートフォン）等、インターネットなどに接続可能な端末を用いてもよい。
【００１９】
（作用・効果）
以上のように各部が構成されたＩＨクッキングヒーターＡは、それぞれ通信位置マーク６１ａ，６２ａ，６３ａに読取り端末Ｂを近接させることにより、次のように動作する。
まず、第１の通信位置マーク６１ａに読取り端末Ｂを近接させることにより、第１の非接触通信手段６１と読取り端末Ｂが近接する。このとき、読取り端末Ｂは、ＩＣタグなどの非接触通信手段から情報を読取る情報読取りモードが起動しており、電波を発する状態となっている。
【００２０】
第１の非接触通信手段６１は、読取り端末Ｂからの電波がコイルに鎖交することで電力を得て、ＩＣチップに書き込まれた電子データを電波で送信する。
読取り端末Ｂは、第１の非接触通信手段６１から送信された電波を受信し、当該電子情報を読取り端末Ｂに設けられた表示部Ｂ１や音声報知部Ｂ２で再生する。
【００２１】
ここで、第１の非接触通信手段６１は、天板２０に対応して設けられていることから、内蔵するＩＣチップには、天板２０に対応する機能部データが書き込まれている。
例えば、本実施の形態の場合、当該情報を読取った読取り端末Ｂからは、上記のデータを再生することで、「天板です。加熱サークル（加熱部）周辺は調理後熱い場合があります。高温注意ランプが消灯するまで、触らないでください。」等の天板に関係する注意喚起に関する表示又は音声が再生される。
【００２２】
ＩＣチップに記憶されている電子データは、この様な読取り端末Ｂで、直接天板２０に関する情報を再生可能な電子データ以外に、天板２０に関する情報を得ることができる電子データ、例えば、インターネットに公開されている関連サイトにアクセスするためのＵＲＬのデータなどでも良い。
【００２３】
次に、第２の通信位置マーク６２ａに読取り端末Ｂを近接させることにより、第２の非接触通信手段６２と読取り端末Ｂが近接する。
第１の非接触通信手段６１と読取り端末Ｂが近接したときと同じ原理で、読取り端末Ｂは、第２の非接触通信手段６２のＩＣチップが保持する情報を得る。
【００２４】
第２の非接触通信手段６２は、グリルハンドル７２に対応して設けられているので、内蔵するＩＣチップには、グリルハンドル７２に対応する機能部データが書き込まれている。
例えば、本実施の形態の場合、当該情報を読取った読取り端末Ｂからは、上記のデータを再生することで、「グリルハンドルです。高温注意ランプが消灯するまで、扉ガラスには触らないでください。」等のグリルハンドル７２に関係する注意喚起に関する表示又は音声が再生される。
【００２５】
次に、第３の通信位置マーク６３ａに読取り端末Ｂを近接させることにより、第３の非接触通信手段６３と読取り端末Ｂが近接する。
第１の非接触通信手段６１と読取り端末Ｂが近接したときと同じ原理で、読取り端末Ｂは、第３の非接触通信手段６３のＩＣチップが保持する情報を得る。
【００２６】
第３の非接触通信手段６３は、前面操作部８０に対応して設けられているので、内蔵するＩＣチップには、前面操作部８０に対応する機能部データが書き込まれている。
例えば、本実施の形態の場合、当該情報を読取った読取り端末Ｂからは、上記のデータを再生することで、「前面操作部です。揚げ物は揚げ物キーをご使用ください。」等の前面操作部８０に関係する注意喚起に関する表示又は音声が再生される。
【００２７】
以上のように、天板２０やグリルハンドル７２等、各機能部に対応してそれぞれ非接触通信手段を設け、これら非接触通信手段から得られる情報を、対応する機能部の情報とすることで、使用者が電気機器の情報を得たい機能部に読取り端末Ｂを近づけることで、当該機能部の情報を、直感的に得ることができる。
【００２８】
ここで、非接触通信手段の位置を示す通信位置マーク６１ａ，６２ａ，６３ａは、点字など凸形状などで位置を示すものを用いたものでも良い。点字を用いることで、視力が弱い使用者も、電気機器の各機能部の情報を容易に得ることができる。
尚、点字を設ける位置は、高温にならない部位に設けると良い。例えば、天板２０であれば、高温となる位置から離れた部分や、グリル扉７０であれば、グリルハンドル７２の表面などがよい。
【００２９】
以上、本実施の形態において、ＩＣタグを電池の持たないパッシブタグを用いた例で説明をしたが、電池を有し自ら電波を飛ばすことができるアクティブタグを用いても良い。また、ＩＣタグの電源を電気機器の電源部に接続して、データを送信するための電力を得るものでもよい。
また、パッシブタグのＩＣタグを用いた場合、ＩＨクッキングヒーターの電源が入らない状態でも各部の情報を得ることができるので、ＩＨクッキングヒーターを店舗で電源に接続しない状態で展示した場合でも、機能することができる。
【００３０】
（実施の形態２）
次に、図２〜図６を参照して、実施の形態２を説明する。実施の形態２は、実施の形態１の上面操作部３０に、主電源ボタン３１と、各加熱部２３に対応した電源ボタン及び火力調整ボタンが設けられたＩＨクッキングヒーターにおいて、各ボタンに対応して非接触通信手段を設けた例を示す。
尚、実施の形態１と同じ構成については、同じ符号を付し説明を省略する。
【００３１】
図２及び図３を参照すると、上面操作部３０は、本体全体の電源をＯＮ／ＯＦＦする主電源ボタン３１と、３つの加熱部２３（左加熱部２３Ｌ、中央加熱部２３Ｍ、右加熱部２３Ｒ）それぞれに対応する左加熱操作部３０Ｌ、中央加熱操作部３０Ｍ、右加熱操作部３０Ｒを有する。
【００３２】
それぞれの加熱操作部３０Ｌ，３０Ｍ，３０Ｒは、対応する加熱部２３Ｌ，２３Ｍ，２３Ｒの電源をＯＮ／ＯＦＦする加熱部電源ボタン３１Ｌ，３１Ｍ，３１Ｒと、各誘導加熱コイル４０（４０Ｌ，４０Ｍ，４０Ｒ）の出力（火力）を調整する火力調整ボタン３２Ｌ，３２Ｍ，３２Ｒを有する。
【００３３】
そして、これらの主電源ボタン３１、加熱部電源ボタン３１Ｌ，３１Ｍ，３１Ｒ、火力調整ボタン３２Ｌ，３２Ｍ，３２Ｒの近傍には、これらのボタンに対応して、それぞれ非接触通信手段６５が設けられている。
尚、上面操作部３０の上面には、各非接触通信手段６５に対応して、通信位置マーク６５ａが設けられている。非接触通信手段６５と通信位置マーク６５ａは、通信位置マーク６５ａが位置する部分に読取り端末Ｂを近づけることで、非接触通信手段６５と読取り端末Ｂが通信可能な位置関係であり、例えば、非接触通信手段６５と通信位置マーク６５ａが近傍に位置するか、また、上下となる位置関係となる。
【００３４】
（作用・効果）
図４〜図６を参照して、以上のように各部が構成されたＩＨクッキングヒーターＡの各通信位置マーク６５ａに読取り端末Ｂを近接させることにより、次のように動作する。
尚、図４〜図６は、上面操作部３０を構成する各ボタンを模式的に表したものであり、図中の説明は、ボタンに表示される点字の意味や、読取り端末Ｂが再生する音声の例である。
【００３５】
（ａ）各種ボタンの説明のみを行う形態
右加熱部２３Ｒに対応する右加熱操作部３０Ｒと主電源ボタン３１を模式的に表した図４を参照すると、主電源ボタン３１に対応して設けられた通信位置マーク６５ａに、読取り端末Ｂをかざすと、この読取り端末Ｂは、通信位置マーク６５ａの近傍に設けられた非接触通信手段６５と通信を行う。
この非接触通信手段６５は、主電源ボタン３１に対応するものであり、ＩＣチップは主電源ボタン３１に関する情報を保持している。
【００３６】
読取り端末Ｂは、通信を行った際に、この主電源ボタン３１に関する情報を取得し、読取り端末Ｂの表示部Ｂ１や音声報知部Ｂ２で、取得した情報を再生する。
ここで取得する表示又は音声情報は、例えば、「主電源ボタンです。「入」状態になるとランプが点灯し、他のボタンを操作出来るようになります。」等、主電源ボタン３１の操作方法や安全に関する内容などである。
【００３７】
次に、右加熱部電源ボタン３１Ｒに対応して設けられた通信位置マーク６５ａに、読取り端末Ｂをかざすと、この読取り端末Ｂは、通信位置マーク６５ａの近傍に設けられた非接触通信手段６５と通信を行う。
この非接触通信手段６５は、右加熱部電源ボタン３１Ｒに対応するものであり、ＩＣチップは右加熱部電源ボタン３１Ｒに関する特有の情報である機能部データを保持している。
【００３８】
読取り端末Ｂは、通信を行った際に、この右加熱部電源ボタン３１Ｒに関する情報である機能部データを取得し、表示部Ｂ１や音声報知部Ｂ２で、取得した情報を再生する。
ここで取得する表示又は音声情報は、例えば、「加熱部の電源ボタンです。「入」状態になるとランプが点灯し、加熱待機になります。主電源が「入」状態で操作可能です。」等、右加熱部電源ボタン３１Ｒの操作方法や安全に関する内容などである。
【００３９】
次に、火力調整ボタン３２Ｒに対応して設けられた通信位置マーク６５ａに、読取り端末Ｂをかざすと、この読取り端末Ｂは、通信位置マーク６５ａの近傍に設けられた非接触通信手段６５と通信を行う。
この非接触通信手段６５は、火力調整ボタン３２Ｒに対応するものであり、ＩＣチップは火力調整ボタン３２Ｒに関する特有の情報である機能部データを保持している。
【００４０】
読取り端末Ｂは、通信を行った際に、この火力調整ボタン３２Ｒに関する情報を取得し、表示部Ｂ１や音声報知部Ｂ２で、取得した情報を再生する。
ここで取得する表示又は音声情報は、例えば、「火力調整ボタンです。どちらのボタンを押しても、火力４で加熱され、次押しにより火力の調整が出来るようになります。加熱部の電源ボタンが「入」状態になると操作可能です。」等、火力調整ボタン３２Ｒの操作方法や安全に関する内容などである。
【００４１】
以上のように、各操作ボタンに対応して、非接触通信手段を設けることにより、使用者が読取り端末Ｂを用いることで、各操作ボタンそれぞれの情報である機能部データを直接的に取得することができる。
【００４２】
ここで、通信位置マーク６５ａと非接触通信手段６５の位置関係は、通信位置マーク６５ａに読取り端末Ｂをかざしたときに、非接触通信手段６５と読取り端末Ｂとが通信可能な位置関係であれば良い。
特に、通信位置マーク６５ａの真下に非接触通信手段６５が位置するようにすれば、使用者が読取り端末Ｂを通信位置マーク６５ａにかざすことで、より確実に、読取り端末Ｂと非接触通信手段６５との間で、通信を行うことができる。
【００４３】
（ｂ）各種ボタンの説明を操作順に説明する形態
次に、主電源ボタン３１及び右加熱操作部３０Ｒの通信位置マーク６５ａに操作順番の順番表示６５ｃを付した形態を模式的に表した図５を参照すると、主電源ボタン３１に対応して設けられた通信位置マーク６５ａには、操作の順番が１番目であることを示す順番表示６５ｃである「１」が表示されおり、右加熱部電源ボタン３１Ｒに対応して設けられた通信位置マーク６５ａには、操作の順番が２番目であることを示す順番表示６５ｃである「２」が表示されており、火力調整ボタン３２Ｒに対応して設けられた通信位置マーク６５ａには、操作の順番が３番目であることを示す順番表示６５ｃである「３」が表示されている。
【００４４】
まず、順番表示「１」に従い主電源ボタン３１に対応して設けられた通信位置マーク６５ａに、読取り端末Ｂをかざすと、この読取り端末Ｂは、通信位置マーク６５ａの近傍に設けられた非接触通信手段６５と通信を行う。
この非接触通信手段６５も主電源ボタン３１に対応するものであり、非接触通信手段６５のＩＣチップは主電源ボタン３１に関する特有の情報である機能部データを保持している。
【００４５】
読取り端末Ｂは、通信を行った際に、この主電源ボタン３１に関する情報である機能部データを取得し、表示部Ｂ１や音声報知部Ｂ２で、取得した情報を再生する。
ここで取得する表示又は音声情報は、例えば、「主電源ボタンです。「入」状態になるとランプが点灯し、他のボタンを操作出来るようになります。次にどの加熱部を使用するか選択し、使用する加熱部の電源を「入」にしてください。わからない場合は、順番表示「２」に読取り端末をかざしてください。」等、主電源ボタン３１の操作方法や安全、次の操作手順のナビゲートに関する内容などである。
【００４６】
次に、順番表示「２」に従い、右加熱部電源ボタン３１Ｒに対応して設けられた通信位置マーク６５ａに、読取り端末Ｂをかざすと、読取り端末Ｂは、通信位置マーク６５ａの近傍に設けられた非接触通信手段６５と通信を行う。
この非接触通信手段６５も右加熱部電源ボタン３１Ｒに対応するものであり、非接触通信手段６５のＩＣチップは右加熱部電源ボタン３１Ｒに関する特有の情報である機能部データを保持している。
【００４７】
読取り端末Ｂは、通信を行った際に、この右加熱部電源ボタン３１Ｒに関する情報を取得し、表示部Ｂ１や音声報知部Ｂ２で、取得した情報を再生する。
ここで取得する表示又は音声情報は、例えば、「加熱部の電源ボタンです。「入」状態になるとランプが点灯し、加熱待機になります。主電源が「入」状態で操作可能です。次は火力調整ボタンで火力を調節してください。変わらない場合は順番表示「３」に読取り端末をかざしてください。」等、右加熱部電源ボタン３１Ｒの操作方法や安全、次の操作手順のナビゲートに関する内容などである。
【００４８】
次に、順番表示「３」に従い、火力調整ボタン３２Ｒに対応して設けられた通信位置マーク６５ａに、読取り端末Ｂをかざすと、読取り端末Ｂは、通信位置マーク６５ａの近傍に設けられた非接触通信手段６５と通信を行う。
この非接触通信手段６５も火力調整ボタン３２Ｒに対応するものであり、非接触通信手段６５のＩＣチップは火力調整ボタン３２Ｒに関する特有の情報である機能部データを保持している。
【００４９】
読取り端末Ｂは、通信を行った際に、この火力調整ボタン３２Ｒに関する情報を取得し、表示部Ｂ１や音声報知部Ｂ２で、取得した情報を再生する。
ここで取得する表示又は音声情報は、例えば、「火力調整ボタンです。どちらのボタンを押しても、火力４で加熱され、次押しにより火力の調整が出来るようになります。加熱部の電源ボタンが「入」状態になると操作可能です。」等、火力調整ボタン３２Ｒの操作方法や安全に関する内容などである。
【００５０】
以上のように、通信位置マーク６５ａに操作順番の番号表示を付し、この順番表示と連動した情報を読取り端末Ｂが取得可能に構成することで、使用者が、操作の手順をよりわかりやすく構成することができる。
尚、操作の順番を示す番号は、印刷やシールを貼り付けたものや、液晶表示装置などの表示機を用いて表示するものでも良い。表示機を用いたものであれば、調理のモードや調理の進行具合などに応じて表示を変化させて、操作の順番の変更に対応させても良い。
【００５１】
（ｃ）通信位置マーク近傍に点字が設けられている形態
次に、主電源ボタン３１及び右加熱操作部３０Ｒに設けられた通信位置マーク６５ａに点字部６５ｂを設けた形態を模式的に表した図６を参照する。
【００５２】
まず、主電源ボタン３１及び右加熱部電源ボタン３１Ｒ及び右加熱部火力調整ボタン３２Ｒのそれぞれに対応して設けられた通信位置マーク６５ａには、表面に文字や図形、突凸状の点の組み合わせ等、所定の形状の凸に形成することで点字部６５ｂが形成されている。
尚、これらの点字部６５ｂは、各ボタンに対応してそれぞれ異なる内容を示す点字が記されている。
【００５３】
このような点字部６５ｂが設けられた主電源ボタン３１及び加熱操作部３０Ｒは、例えば、次のように構成されて用いられる。
まず、主電源ボタン３１に対応して設けられている通信位置マーク６５ａには、最初に読取り端末Ｂをかざしてほしい旨を示す「さいしょ」や「１」などの点字部６５ｂが設けられている。
また、非接触通信手段６５と点字部６５ｂが上下に重なっていない場合、読取り端末Ｂをかざす位置を指定する「うえ（前方）」「↑」などの意味を示す点字を設けても良い。
更に、主電源ボタン３１の表面には、主電源ボタン３１である旨を示す「でんげん」などの点字が設けられている。
【００５４】
そして、このように構成されている主電源ボタン３１に対応する通信位置マーク６５ａに読取り端末Ｂをかざすと、読取り端末Ｂが主電源ボタン３１に対応して設けられた非接触通信手段６５と通信を行い、主電源ボタン３１に関する特有の情報である機能データを取得し、音声報知部で、取得した音声情報を再生する。
ここで再生する音声情報は、例えば、「主電源ボタンです。「入」状態になると「電源が入りました」と音声で説明し、他のボタンを操作できるようになります。「でんげん（点字）」と記されているボタンを押してください。」との内容の音声は再生される。
【００５５】
次に、右加熱部電源ボタン３１Ｒに対応して設けられている通信位置マーク６５ａには、２番目に読取り端末Ｂをかざしてほしい旨を示す「つぎ１」や「２」などの点字部６５ｂが設けられている。
また、非接触通信手段６５と点字部６５ｂが上下に重なっていない場合、読取り端末Ｂをかざす位置を指定する「うえ（前方）」「↑」などの意味を示す点字を設けても良い。
更に、右加熱部電源ボタン３１Ｒの表面には、「・」などの点字が設けられている。
【００５６】
そして、このように構成されている右加熱部電源ボタン３１Ｒに対応する通信位置マーク６５ａに読取り端末Ｂをかざすと、読取り端末Ｂが右加熱部電源ボタン３１Ｒに対応して設けられた非接触通信手段６５と通信を行い、右加熱部電源ボタン３１Ｒに関する特有な情報である機能部データを取得し、音声報知部で、取得した音声情報を再生する。
ここで再生する音声情報は、例えば、「右加熱部の電源ボタンです。「入」状態になると「ピッ」と音がして、加熱待機状態となります。主電源が「入」状態で操作可能です。操作はボタン中央に「・」があるボタンを押してください。」との内容の音声は再生される。
【００５７】
次に、右加熱部火力調整ボタン３２Ｒに対応して設けられている通信位置マーク６５ａには、３番目に読取り端末Ｂをかざしてほしい旨を示す「つぎ２」や「３」などの点字部６５ｂが設けられている。
また、非接触通信手段６５と点字部６５ｂが上下に重なっていない場合、読取り端末Ｂをかざす位置を指定する「うえ（前方）」「↑」などの意味を示す点字を設けても良い。
更に、右加熱部火力調整ボタン３２Ｒの表面には、火力を弱くするボタン及び火力を強くするボタンにそれぞれ「よわく」や「つよく」の意味を示す点字や、操作することで温度が大きく又は小さく変更できる旨を示す印「＜」「＞」などが設けられている。
【００５８】
そして、このように構成されている右加熱部火力調整ボタン３２Ｒに対応する通信位置マーク６５ａに読取り端末Ｂをかざすと、読取り端末Ｂが右加熱部火力調整ボタン３２Ｒに対応して設けられた非接触通信手段６５と通信を行い、右加熱部火力調整ボタン３２Ｒに関する特有な情報である機能部データを取得し、音声報知部で、取得した音声情報を再生する。
【００５９】
ここで再生する音声情報は、例えば、「火力調整ボタンです。どちらのボタンを押しても、火力４で加熱され、「火力４です」と音声で説明し、次押しにより火力の調整が出来るようになります。加熱部の電源ボタンが「入」状態になる操作可能です。火力を強くする場合は右ボタン、弱くする場合は左ボタンを押してください。」との内容の音声が再生される。
【００６０】
以上のように、通信位置マーク６５ａに点字部６５ｂを用いることにより、視力が弱い使用者も、電気機器の各機能部の情報を容易に得ることができる。
尚、通信位置マーク６５ａに点字部６５ｂを形成してもよく、また、通信位置マーク６５ａと重ならないように点字部６５ｂを形成しても良い。通信位置マーク６５ａと重ならないよう点字部６５ｂを設ければ、点字を構成する凸で通信位置マーク６５ａの表記が見え難くなることを防ぐことができる。
【００６１】
（実施の形態３）
次に、図７を参照して、実施の形態３を説明する。実施の形態３は、本発明を電気炊飯器に用いた場合の形態である。
図７を参照すると、電気炊飯器Ｃは、炊飯器本体９０と、この本体上部をヒンジ部Ｈにより支持されて開閉する蓋体９１と、本体内部に保持され米や水などの調理物を保持する内釜（図示せず）と、この内釜を加熱する加熱手段（図示せず）と、加熱手段など各部を制御する制御手段（図示せず）を備えている。
【００６２】
蓋体９１の上面前側には、複数の操作スイッチ９２ａと液晶表示部９２ｂからなる操作・表示部９２が設けられている。また、蓋体９１の上面後端側には、調理動作中に内釜内部から発生する蒸気を電気炊飯器Ｃの外部に排出する蒸気排出口９３が設けられている。  また、本体前面には、炊飯器本体９０の上部を閉じている蓋体９１のロックを解除して、蓋体９１を開く蓋開ボタン９４が設けられている。
【００６３】
このように構成された各部の近傍には、次のように非接触通信手段９５が設けられる。  まず、操作・表示部９２が設けられた領域の前側中心となる位置であって蓋体９１の内部には、操作・表示部９２に対応する非接触通信手段９５が設けられている。
そして、非接触通信手段９５と対向する蓋体９１の上面には、当該位置に読取り端末Ｂを近づけることで通信が可能であることを示す通信位置マーク９５ａが設けられている。尚、この通信位置マーク９５ａに点字部９５ｂを設けて視力の弱い人も位置を確認しやすく構成しても良い。
【００６４】
次に、蒸気排出口９３の近傍であって蓋体９１の内部には、この蒸気排出口９３に対応する非接触通信手段９５が設けられている。蒸気排出口９３に対応する非接触通信手段９５は、蒸気排出口９３より前側に位置している。つまり、蒸気排出口９３と非接触通信手段９５は、所定の間隔が形成されている。
そして、この非接触通信手段９５に対向する蓋体９１の上面には、通信位置マーク９５ａが設けられている。尚、この通信位置マーク９５ａに点字部９５ｂを設けても良い。
【００６５】
次に、蓋開ボタン９４の近傍であって炊飯器本体９０の内部には、この蓋開ボタン９４に対応する非接触通信手段９５が設けられている。そして、この非接触通信手段９５に対向する炊飯器本体９０の上面には、通信位置マーク９５ａが設けられている。尚、この通信位置マーク９５ａに点字部９５ｂを設けても良い。
【００６６】
（作用・効果）
以上のように各部が構成された電気炊飯器Ｃの各通信位置マーク６５ａに読取り端末Ｂを近接させることにより、次のように動作する。
まず、操作表示部９２に対応して設けられた通信位置マーク９５ａに、読取り端末Ｂをかざすと、この読取り端末Ｂは、通信位置マーク９５ａの近傍に設けられた非接触通信手段９５と通信を行う。
この非接触通信手段９５は、操作表示部９２に対応するものであり、非接触通信手段９５のＩＩＣチップは操作表示部９２に関する特有な情報である機能部データを保持している。
【００６７】
読取り端末Ｂは、通信を行った際に、この操作表示部９２に関する情報を取得し、表示部Ｂ１や音声報知部Ｂ２で、取得した情報を再生する。
ここで取得する表示又は音声情報は、例えば、「操作部です。予約、かたさ、炊飯時間などがえらべます。」等、操作表示部９２の操作方法に関する内容などである。
【００６８】
次に、蒸気排出口９３に対応して設けられた通信位置マーク９５ａに、読取り端末Ｂをかざすと、この読取り端末Ｂは、通信位置マーク９５ａの近傍に設けられた非接触通信手段９５と通信を行う。
この非接触通信手段９５は、蒸気排出口９３に対応するものであり、非接触通信手段９５のＩＣチップは蒸気排出口９３に関する特有な情報である機能部データを保持している。
【００６９】
読取り端末Ｂは、通信を行った際に、この蒸気排出口９３に関する情報を取得し、表示部Ｂ１や音声報知部Ｂ２で、取得した情報を再生する。
ここで取得する表示又は音声情報は、例えば、「蒸気口です。炊飯時に高温の蒸気が吹き出ますので、やけどに注意してください。」等、蒸気排出口９３に関する内容などである。
【００７０】
ここで、蒸気排出口９３に対応する通信位置マーク９５ａは、蒸気排出口９３より前側に位置しており、通信位置マーク９５ａと蒸気排出口９３との間には、所定の間隔が形成されている。
これにより、通信位置マーク９５ａに点字部９５ｂを設けた形態において、通常、電気炊飯器の前側から手で探りながら点字部９５ｂに到達するので、使用者が蒸気排出口９３に触れる前に蒸気排出口９３に対応する点字部９５ｂを見つけ出すことができる。
従って、使用者が蒸気排出口９３に触れることを防止することができる。
【００７１】
次に、蓋開ボタン９４に対応して設けられた通信位置マーク９５ａに、読取り端末Ｂをかざすと、この読取り端末Ｂは、蓋開ボタン９４の近傍に設けられた非接触通信手段９５と通信を行う。
この非接触通信手段９５は、蓋開ボタン９４に対応するものであり、非接触通信手段９５のＩＣチップは蓋開ボタン９４に関する特有な情報である機能部データを保持している。
【００７２】
読取り端末Ｂは、通信を行った際に、この蓋開ボタン９４に関する情報を取得し、表示部Ｂ１や音声報知部Ｂ２で、取得した情報を再生する。
ここで取得する表示又は音声情報は、例えば、「蓋開ボタンです。炊飯動作中は押さないでください」等、蓋開ボタン９４に関する内容などである。
【００７３】
以上、各実施の形態において、電気機器の例として、ＩＨクッキングヒーターと電気炊飯器を用いて説明したが、電気機器を操作するための操作部や電気機器の各種機能を発揮する機能部に対して読取り端末Ｂを近接可能であり、当該部位にＩＣタグなどの非接触通信手段を設置可能な電気機器であれば、本発明は適用可能である。
【００７４】
また、読取り端末Ｂは、非接触通信手段より、音声や表示情報を取得して再生する形態で説明したが、これらの情報に加え、当該機器に関するウェブサイトのＵＲＬやメーカーの電話番号等、外部へのアクセス情報でもよい。
読取り端末Ｂが多機能型携帯端末（例えば、スマートフォンや携帯電話）であれば、取得したアクセス情報で、直接ウェブサイトやメーカーへと外部へと接続することができ、調理機器などであればメニュー情報や制御ソフトのバージョンアップデータなど、ＩＣタグで保持できない大きな容量のデータを扱うことができる。
【符号の説明】
【００７５】
Ａ  ＩＨクッキングヒーター、Ｂ  読取り端末、１０  本体ケース、２０  天板、２２ガラス板、２３  加熱部、３０  上面操作部、３１  主電源ボタン、３２  火力調整ボタン、４０  誘導加熱コイル、５０  表示部、６１  第１の非接触通信手段、６１ａ  第１の通信位置マーク、６２  第２の非接触通信手段、６２ａ  第２の通信位置マーク、６３  第３の非接触通信手段、６３ａ  第３の通信位置マーク、６５  非接触通信手段、６５ａ  通信位置マーク、６５ｂ  点字部、６５ｃ  順番表示、７０  グリル扉、７１  グリル窓、７２  グリルハンドル、７２ａ  手掛け部、８０  前面操作部、８１  操作ダイヤル、８２  前面パネル、Ｃ  電気炊飯器、９０  炊飯器本体、９１蓋体、９２  操作表示部、９３  蒸気排出口、９４  蓋開ボタン、９５  非接触通信手段、９５ａ  通信位置マーク。
【図１】
0006038333.tif 000002
【図２】
0006038333.tif 000003
【図３】
0006038333.tif 000004
【図４】
0006038333.tif 000005
【図５】
0006038333.tif 000006
【図６】
0006038333.tif 000007
【図７】
0006038333.tif 000008